(57)【特許請求の範囲】
【請求項１】
チェーンパールを構成する真珠に、貴金属からなる鎖を連結するための一対の連結環を取り付ける連結環取付構造であって、
真珠にその直径に沿って形成した貫通孔に、その両端からそれぞれ、前記連結環を固設した平円板状の頭部を有する一対の支持ピンである第１の支持ピンと第２の支持ピンの前記連結環と反対側にそれぞれ延びる円柱状部が挿入され、該各円柱状部の先端側の部分が互いに嵌合し、
前記第１の支持ピンは、前記円柱状部の全体が前記貫通孔の内径より僅かに小さい外径を有し、少なくとも前記先端側の所定部分に嵌合穴が形成されており、
前記第２の支持ピンは、前記円柱状部の前記頭部側の所定部分は前記貫通孔の内径より僅かに小さい外径を有する大径部であり、それより前記先端側の部分は前記嵌合穴の内径より僅かに小さい外径を有し、前記嵌合穴に嵌合する小径部となっており、
前記第１の支持ピンの前記円柱状部の前記嵌合穴と、前記第２の支持ピンの前記小径部とは、前記第１の支持ピンの前記頭部と前記第２の支持ピンの前記頭部との間の寸法が取り付ける真珠の直径になるように、該真珠の直径に応じて嵌合の深さが変更可能であり、
前記第１、第２の支持ピンの前記各円柱状部の嵌合部が接着剤で接着されて連結され、前記真珠の前記貫通孔の内周面とそれに対向する前記第１、第２の支持ピンの前記各円柱状部の外周面とも接着剤で接着されたことを特徴とする連結環取付構造。
【請求項２】
請求項１に記載の連結環取付構造において、
前記第１、第２の支持ピンの前記各円柱状部の外周面に、それぞれ周方向に沿う接着剤導入用の多数の溝が形成されていることを特徴とする連結環取付構造。
【請求項３】
請求項１又は２に記載の連結環取付構造によって一対の連結環を取り付けた複数の真珠を、それぞれ前記各連結環に連結した貴金属からなる鎖を介して接続してなるチェーンパール。
【発明の詳細な説明】
【技術分野】
【０００１】
この発明は、真珠（パール）と装身用の鎖（チェーン)とを交互に連結して構成されるネックレス等の装身具であるチェーンパールと、その真珠に鎖を連結するための連結環を真珠に取り付ける連結環取付構造に関する。
【背景技術】
【０００２】
複数個の真珠（パール）と、金、銀、プラチナ、ホワイトゴールド等の貴金属からなる装身用の鎖（チェーン)とを交互に連結して構成されるチェーンパールが、ネックレス等の装身具として市販され、その愛用者が増えている。
このチェーンパールを製造するためには、真珠と鎖とを確実に連結し、且つ真珠を傷めたり、見栄えを損ねたりすることがないようにする必要がある。
【０００３】
そのため従来は、例えば図５に示すように、真珠２に直径に沿って細い貫通孔２１を明け、それぞれ連結環３を溶接した頭部５１，６１と、長さが真珠の半径より短く、外径が上記貫通孔２１の内径より僅かに小さい円柱状部５２，６２とを有する一対の支持ピン５０，６０を使用し、その円柱状部５２，６２を貫通孔２１の両端側から、それぞれ挿入して接着剤１０で固着し、その各連結環３に鎖を連結する構造（従来例１）がとられていた。
しかし、この構造では、真珠２の直径が大きく、支持ピン５０，６０の円柱状部５２，６２の長さを十分とれないと、異質の物質である真珠２と貴金属製の支持ピン５０，６０とを接着剤によって十分な強度で固着するのが困難であるため、径が大きくない場合、例えば６ｍｍ径以下の真珠には採用できなかった。
【０００４】
そのような場合には、例えば図６に示すように、上述の例と同様に真珠２に形成した貫通孔２１内に、真珠２の径より短い長さで支持ピン５０，６０の円柱状部５２，６２の外径より僅かに大きい内径を有するスリーブ７０を嵌め込み、貫通孔２１の両端からそれぞれ挿入した円柱状部５２，６２を互いにそのスリーブ７０に嵌入させて接着剤１０で固着して連結し、真珠２の貫通孔２１の内周と円柱状部５２，６２の外周との隙間にも接着剤１０を充填して固着する構造(従来例２)がとられていた。
【発明の概要】
【発明が解決しようとする課題】
【０００５】
しかしながら、上述した従来例１のような連結環取付構造では、珠径が十分大きな真珠を用いるチェーンパールでなければ、真珠と連結環を溶接した支持ピンとを強固に接着することができず、真珠と鎖とを長期に亘って確実に連結することができないという問題があった。
また、上述した従来例２のような連結環取付構造でも、真珠２に形成した貫通孔２１内にスリーブ７０を嵌め込むため、スリーブ７０の肉厚分だけ貫通孔２１の内径を大きくするか、支持ピン５０，６０の円柱状部５２，６２の外径を小さくしなければならず、それによって、真珠２又は支持ピン５０，６０の強度が損なわれることになる。
【０００６】
さらに、両側の支持ピン５０，６０の円柱状部５２，６２におけるスリーブ７０から露出した頭部５１，６１に近い部分と真珠２の貫通孔２１の内周との間にできるスリーブ７０の肉厚相当の隙間は、接着剤１０が充填されて固着されているだけである。
そのため、真珠２の貫通孔２１の両端から接着剤１０がはみ出したり、チェーンパールが長期間使用されることによって、真珠２の貫通孔２１に対して支持ピン５０，６０を傾ける方向（図６の矢示Ａ，Ｂ方向）の力が繰り返し加わると、接着剤１０が剥がれて隙間ができ、支持ピン５０，６０の固着強度が低下すると共に見栄えも損ねるという問題もあった。
【０００７】
この発明は、このような問題を解決するためになされたものであり、チェーンパールにおける真珠への鎖の連結環取付構造を改善して、使用する真珠の珠径に関わらず真珠と鎖とを常に確実に連結できるようにし、長期に亘って劣化することなく、且つ真珠を傷めたり見栄えを損ねたりすることもないようにすることを目的とする。
【課題を解決するための手段】
【０００８】
上記の目的を達成するため、この発明による連結環取付構造は、チェーンパールを構成する真珠に、貴金属からなる鎖を連結するための一対の連結環を取り付ける連結環取付構造であって、真珠にその直径に沿って形成した貫通孔に、その両端からそれぞれ、連結環を固設した平円板状の頭部を有する一対の支持ピンである第１の支持ピンと第２の支持ピンの連結環と反対側にそれぞれ延びる円柱状部が挿入され、その各円柱状部の先端側の部分が互いに嵌合し、
【０００９】
上記第１の支持ピンは、上記円柱状部の全体が上記貫通孔の内径より僅かに小さい外径を有し、少なくとも先端側の所定部分に嵌合穴が形成されている。
上記第２の支持ピンは、上記円柱状部の上記頭部側の所定部分は上記貫通孔の内径より僅かに小さい外径を有する大径部であり、それより先端側の部分は上記嵌合穴の内径より僅かに小さい外径を有し、前記嵌合穴に嵌合する小径部となっている。
さらに、上記第１の支持ピンの上記円柱状部の嵌合穴と、上記第２の支持ピンの小径部とは、上記第１の支持ピンの頭部と上記第２の支持ピンの頭部との間の寸法が取り付ける真珠の直径になるように、該真珠の直径に応じて嵌合の深さが変更可能である。
そして、上記第１、第２の支持ピンの上記各円柱状部の嵌合部が接着剤で接着されて連結され、上記真珠の上記貫通孔の内周面とそれに対向する上記第１、第２の支持ピンの上記各円柱状部の外周面とも接着剤で接着される。
【００１０】
上記第１、第２の支持ピンの各円柱状部の外周面に、それぞれ周方向に沿う接着剤導入用の多数の溝を形成しておくとよい。
この発明によるチェーンパールは、上記の連結環取付構造によって一対の連結環を取り付けた複数の真珠を、それぞれ各連結環に連結した貴金属からなる鎖を介して接続してなることを特徴とする。
【発明の効果】
【００１１】
このように構成したこの発明による連結環取付構造及びそれを用いたチェーンパールは、使用する真珠の珠径に関わらず連結環を強固に取り付けることができ、真珠と鎖とを常に確実に連結できる。しかも、真珠の貫通孔の両端部付近と各支持ピンの円柱状部との間に殆ど隙間がないので、長期に亘って使用しても支持ピンが傾いたり接着剤が剥がれたりすることがない。また、支持ピンの円柱状部を細くすることができるので、真珠を傷めたり、支持ピンが透けて見えて見栄えを損ねたりすることもない。
【図面の簡単な説明】
【００１２】
【図１】この発明によるチェーンパールの一実施例を示す外観図である。
【図２】この発明による大径の真珠（大珠）用の連結環取付構造の例を示す真珠の直径線を通る断面図である。
【図３】この発明による中径の真珠（中珠）用の連結環取付構造の例を示す図２と同様な断面図である。
【図４】この発明による小径の真珠（小珠）用の連結環取付構造の例を示す図２と同様な断面図である。
【図５】従来の連結環取付構造の一例を示す真珠の直径線を通る断面図である。
【図６】従来の連結環取付構造の他の例を示す真珠の直径線を通る断面図である。
【発明を実施するための形態】
【００１３】
以下、この発明の好ましい実施形態を図面を参照しながら説明する。
図１はこの発明によるチェーンパールの一実施例を示す外観図であり、中間部を切断して一部を省略して示している。
このチェーンパール１は、複数個の真珠（パール）２にそれぞれ径方向の対向する位置に一対の連結環３を取り付け、その各連結環３に金、銀、プラチナ、ホワイトゴールド等の貴金属からなる鎖（チェーン）４を連結し、各真珠２をその鎖４を介して接続してネックレスを構成している。
【００１４】
その両端の鎖４ａ，４ｂの真珠２と連結していない方の端部には、一方の鎖４ａにはリング状の留め金具５を、他方の鎖４ｂにはその留め金具５に挿通される孔６ａを有する留め板６を連結しており、留め板６の孔６ａに留め金具５を挿通させて両者を連結することによって、チェーンパール１をリング状にして使用者の首に装着することができる。この実施例では、一方の鎖４ａの端部には宝石７を垂下する短い鎖４ｃも連結している。
【００１５】
このチェーンパール１の各真珠２ごとに一対の連結環３は、この発明による連結環取付構造によって取り付けられている。その連結環取付構造の実施例を図２〜図４によって説明する。
図２は、大径の真珠（大珠）用の連結環取付構造の例を示す真珠の直径線を通る断面図である。
真珠２には、その直径に沿ってφ１ｍｍ程度の小径の貫通孔２１を形成する。その貫通孔２１の両端側から一対の支持ピンである第１の支持ピン（ソケットピン）８と第２の支持ピン（プラグピン）９を挿入する。
【００１６】
第１の支持ピン８は、ねじ頭部のような平円板状の頭部８１を有し、その外面に連結環３の外周面の曲率より僅かに大きい曲率の凹曲部８１ａを形成しており、そこに連結環３の外周の一部を嵌合させて溶接し、一方の連結環３を立てて一体に固設している。
その頭部８１の連結環３と反対側には円柱状部８２を延設している。その円柱状部８２は全体が真珠２の貫通孔２１の内径より僅かに小さい外径（例えばφ０．９ｍｍ）を有し、先端側の所定部分に嵌合穴８２ａが形成されている。
【００１７】
一方、第２の支持ピン９も、第１の支持ピン８の頭部８１と同様な頭部９１を有し、その凹曲部９１ａに連結環３の外周の一部を嵌合させて溶接し、他方の連結環３を立てて一体に固設している。
その頭部９１の連結環３と反対側には円柱状部９２を延設している。その円柱状部９２の頭部９１側の所定部分は真珠２の貫通孔２１の内径（例えばφ１．０ｍｍ）より僅かに小さい外径（例えばφ０．９ｍｍ）を有する大径部９２ａであり、それより先端側の部分は、第１の支持ピン８の円柱状部８２の嵌合穴８２ａの内径（例えばφ０．６ｍｍ）より僅かに小さい（嵌合可能なクリアランス分だけ小さい）外径を有する小径部９２ｂとなっている。
【００１８】
これらの第１の支持ピン８の円柱状部８２及び第２の支持ピン９の円柱状部９２の外周面全体には、それぞれ周方向に沿う環状又は螺旋状等の接着剤導入用の多数の溝８３，９３が形成されている。この接着剤導入用の溝８３，９３は浅い筋状のものでもよく、形成した方がよいが必須ではない。
この円柱状部８２及び９２の外周面及び円柱状部８２の嵌合穴８２ａ内に接着剤１０を塗布して、真珠２の貫通孔２１の一方の開口端から第１の支持ピン８の円柱状部８２を挿入し、他方の開口端から第２の支持ピン９の円柱状部９２を挿入する。
【００１９】
その円柱状部８２及び９２は、いずれも真珠２の半径より長い長さを有しており、その先端側の部分が真珠２の貫通孔２１内で互いに嵌合する。すなわち、図２に示すように、第２の支持ピン９の円柱状部９２の小径部９２ｂの先端側の部分が、第１の支持ピン８の円柱状部８２の嵌合穴８２ａに嵌入する。そして、その嵌合した部分が接着剤１０によって接着されて連結する。
【００２０】
さらに、真珠２の貫通孔２１の内周面とそれに対向する第１、第２の支持ピン８，９の各円柱状部８２，９２の外周面とも接着剤１０で接着される。なお、図２では円柱状部９２の小径部９２ｂの円柱状部８２と嵌合していない部分の外周面と、貫通孔２１の内周面との間の隙間に接着剤１０が示されているが、それ以外の部分の接着剤は極めて薄く、殆どが各円柱状部８２，９２の表面の溝８３，９３内に入っているため、図示を省略している。
【００２１】
このようにして、第１の支持ピン８と第２の支持ピン９はその円柱状部８２，９２の先端部分が真珠２の貫通孔２１内で互いに嵌合し、接着されて連結され、かつそれらの外周面と貫通孔２１の内周面とも接着されて固着される。
したがって、その第１の支持ピン８と第２の支持ピン９の頭部８１，９１にそれぞれ固設された連結環３が、真珠２に強固に取り付けられる。そのため、各連結環３に図１に示した鎖４が連結されて複数の真珠２が鎖４を介して接続されたチェーンパール１が構成され、その使用中に真珠２の両側の連結環３に、互いに真珠２から抜ける方向に力が加わったとしても、抜けるようなことはなく、真珠２と鎖４とを常に確実に連結できる。
【００２２】
また、第１の支持ピン８の円柱状部８２全体及び第２の支持ピン９の円柱状部９２の頭部９１側の大径部９２ａの各外周面と真珠２の貫通孔２１の内周面との間には殆ど隙間がないため、第１，第２の支持ピン８，９に傾けるような力が加わったとしても、傾いたり接着剤が剥がれたりすることがない。さらに、真珠２に形成する貫通孔２１を、第１、第２の支持ピン８，９の円柱状部８２，９２を挿入させるのに必要な径以上の径にする必要がないので、真珠を傷めたり見栄えを損ねたりすることもない。
【００２３】
図３は、中径の真珠（中珠）用の連結環取付構造の例を示す図２と同様な断面図である。図４は、小径の真珠（小珠）用の連結環取付構造の例を示す図２と同様な断面図である。図３では真珠を２′、第１の支持ピンを８′、第２の支持ピンを９′とし、図４では真珠を２″、第１の支持ピンを８″、第２の支持ピンを９′としているが、その他の各部は便宜上図２に示した例の対応する各部と同一の符号を付している。
【００２４】
これらのうち、図３の第１の支持ピン８′の円柱状部８２は、図２の第１の支持ピン８の円柱状部８２より短く、その全長に亘って嵌合穴８２ａが形成されている。図３の第２の支持ピン９′の円柱状部９２は、小径部９２ｂの長さが、図２の第２の支持ピン９の円柱状部９２の小径部９２ｂより短い。それ以外の構成は図２に示した例と同じである。
【００２５】
また、図４の第１の支持ピン８″の円柱状部８２は、図３の第１の支持ピン８′の円柱状部８２よりさらに短く、その全長に亘って嵌合穴８２ａが形成されている。図４の第２の支持ピン９′は、図３の第２の支持ピン９′と同じである。
これ以外は、前述した図２の例と同じ構成であり、その効果も同様であるから、それらの説明は省略する。
【００２６】
ここで、図２〜図４の各例において、図４における第１の支持ピン８″の円柱状部８２の嵌合穴８２ａと第２の支持ピン９′の小径部９２ｂとが、最も深く嵌合した状態と最も浅く嵌合した状態で、その頭部８１と９１との間の寸法が３ｍｍと４ｍｍになるようにすると、直径が３〜４ｍｍの真珠２″に連結環３を取り付けることができる。
また、図３における第１の支持ピン８′の円柱状部８２の嵌合穴８２ａと第２の支持ピン９′の小径部９２ｂとが、最も深く嵌合した状態と最も浅く嵌合した状態で、その頭部８１と９１との間の寸法が４ｍｍと５ｍｍになるようにすると、直径が４〜５ｍｍの真珠２′に連結環３を取り付けることができる。
【００２７】
そして、図２における第１の支持ピン８の円柱状部８２の嵌合穴８２ａと第２の支持ピン９の小径部９２ｂとが、最も深く嵌合した状態と最も浅く嵌合した状態で、頭部８１と９１との間の寸法が７ｍｍと９ｍｍになるようにすると、直径が７〜９ｍｍの真珠２に連結環３を取り付けることができる。
【００２８】
さらに、図３に示した第１の支持ピン８′と図２に示した第２の支持ピン９とを使用して、その第１の支持ピン８′の円柱状部８２と第２の支持ピン９の小径部９２ｂとが、最も深く嵌合した状態と最も浅く嵌合した状態で、その頭部８１と９１との間の寸法が５ｍｍと７ｍｍになるようにすると、直径が５〜７ｍｍの真珠に連結環３を取り付けることができる。
すなわち、第１の支持ピン８,８′,８″の円柱状部８２の嵌合穴８２aと、第２の支持ピン９，９′の小径部９２ｂとは、第１の支持ピン８,８′,８″の頭部８１と第２の支持ピンの頭部９１との間の寸法が取り付ける真珠２，２′,２″の直径になるように、その真珠の直径に応じて嵌合の深さが変更可能である。
【００２９】
したがって、３種類の第１の支持ピン８，８′，８″と２種類の第２の支持ピン９,９′とを用意しておけば、直径が３〜９ｍｍの全ての真珠に連結環３を取り付けることができる。このように、円柱状部の長さだけが異なる数種類の第１、第２の支持ピンを用意すれば、使用する真珠の珠径に関わらず連結環３を強固に取り付けることができ、真珠と鎖とを常に確実に連結することができる。また、各支持ピンの円柱状部を１ｍｍ以下に細くできるので、小径の真珠でもそれが外部から透けて見えるようなことはない。
【００３０】
図１に示したチェーンパール１において、使用する真珠２の数や珠径は任意であり、珠径の異なる真珠を混ぜて使用してもよい。各真珠２を接続する各鎖４の長さや形状及び材料等も任意であり、途中に宝石などを介装してもよい。留め金具５と留め板６に代えて、他の留め金具や留め板を使用してもよいことは勿論である。
【００３１】
以上、この発明の好ましい実施例について説明してきたが、この発明はこれらに限定されるものではなく、その構成を矛盾しない範囲で変更したり、他の構成を追加したりすることができることは、当業者にとって適宜なし得ることである。
【産業上の利用可能性】
【００３２】
この発明は、真珠（パール）と装身用の鎖（チェーン)とを交互に連結して構成される装身具であるチェーンパールに利用するが、ネックレスに限らず、ブレスレットやぺンダントなどにも利用できる。また、真珠に代えて珊瑚や水晶など他の宝玉を鎖で接続して構成する装身具にも利用可能である。
【符号の説明】
【００３３】
１：チェーンパール    ２，２′，２″：真珠（パール）    ３：連結環    
４：鎖（チェーン）    ５：留め金具    ６：留め板    ７：宝石    
８，８′，８″：第１の支持ピン    ９，９′：第２の支持ピン    
１０：接着剤    ２１：貫通孔    ８１：頭部    ８１a：凹曲部    
８２：円柱状部    ８２a：嵌合穴    ８３：接着剤導入用の溝
９１：頭部    ９１a：凹曲部    ９２：円柱状部    ９２ａ：大径部
９２ｂ：小径部    ９３：接着剤導入用の溝
【図１】
0005881143.tif 000002
【図２】
0005881143.tif 000003
【図３】
0005881143.tif 000004
【図４】
0005881143.tif 000005
【図５】
0005881143.tif 000006
【図６】
0005881143.tif 000007